(57)【要約】【課題】効率よく除雪することのできる除雪具を提供する。【解決手段】雪を入れるための平面視四角状有底のバケットとこのバケット底面に対し上向きに所定角度を持ってバケットにその一端が取り付けられた柄を有する除雪具において、上記角度範囲を３０度〜３６度としたことを特徴とする。【選択図】図２
2015175230.tif 000002
【特許請求の範囲】
【請求項１】
雪を入れるための平面視四角状有底のバケットとこのバケット底面に対し上向きに所定角度を持ってバケットにその一端が取り付けられた柄を有する除雪具において、上記角度範囲を３０度〜３６度としてなる雪路面平行移動型除雪具。
【発明の詳細な説明】
【技術分野】
【０００１】  この発明は、主に路上に堆積した雪の除雪について、バケット（雪の入る部分）を雪路面と平行に移動させるタイプの除雪具に関する。
【背景技術】
【０００２】  従来より、種々の除雪具が多用されているが、雪を入れるバケット部分とこのバケットに固定される柄を有するとともに、バケットに対する柄の取り付け角度を特定範囲内とした雪路面平行移動型の手動利器としての除雪具は現在のところ見あたらない。
【発明の概要】
【発明が解決しようとする課題】
【０００３】  冬季降雪地域の住人にとっては、除雪は必須作業である。一般的には、玄関前や駐車エリアなどに堆積した雪を取り除くために、除雪具が多用されている。なかでも図に示すように、浅型のバケット後部に所定角度を有して柄を取り付けたものが広く使われている。
この角度はバケット底面に対する柄の角度であり、２６度程度となっている。
降雪の雪質つまり雪の水分量は地域により異なり、北海道などの低温地域では水分の少ないサラサラした雪が積もることが多くあり、このようなとき、除雪具の特徴的な使い方をすることが多くある。それは、除雪具のバケット底面を雪表面より少し沈ませたまま柄を持ちながら路面と平行にこのバケットを移動させるのである。こうすることにより、広い積雪エリアを効率よく除雪することができる。
しかしながら、市販の除雪具はこの使い方に適してはいない。雪中に浅い角度にてバケット先端を差し込んで持ち上げ、バケット内の雪をはね上げるようにして、雪捨て場所にその雪を移動させて除雪することを目的としているからである。
また、上記作業時においては、身体を前下にかがめ、ひざを少し曲げて雪をすくい入れ、背筋と腕や足の力を使って雪をはね上げる動作を反復するために、人体に対する負荷が大きくなって、腰を痛める方もおり、より楽に能率よく除雪できる用具が求められている。
本発明は以上に鑑み、バケットに対する柄の取り付け角度を変更することにて、除雪に関わる種々の問題を解決するべく開発されたものである。
【課題を解決するための手段】
【０００４】  課題を解決する手段として本発明は以下の構成とした。
すなわち、雪を入れるための平面視四角状有底のバケットとこのバケット底面に対し上向きに所定角度を持ってバケットにその一端が取り付けられた柄を有する除雪具において、上記角度範囲を３０度〜３６度とする。本発明は以上の構成よりなる雪路面平行移動型除雪具である。
【発明の効果】
【０００５】  本発明は以下の効果を有する。
１．バケットに対する角度を３３度ほどとしたので、バケット底面を雪路面に対し平行移  動させる場合において、柄端は使用者の腰部に近似の高さとなって、容易にこの平行移  動作業を行うことができる。
２．柄端高さが従来品より高くなるために、より短い柄にても従来品と同等に雪のすくい  上げやはね上げ作業を行うことができて、作業時モーメントの関係から、労力軽減の効  果を発揮することができる。
３．柄を短くすることにて、不使用時の収納スペースを小さくすることができる。
【図面の簡単な説明】
【０００６】
【図１】  本発明のバケット部の説明図
【図２】  本発明と従来例の比較図
【図３】  除雪具の角度変化時における柄端位置変化説明図
【図４】  本発明の使用および押圧における分力説明図
【発明を実施するための最良の形態】
【０００７】  以下、本発明の実施形態について説明する。
図において、１は合成樹脂製のバケットで、平板に近い前部を有し、後部は湾曲してゆるやかに少し上方に立ち上がり、側面は前端から後端に向けて連続的に立ち上がる部分となり、また中央下面には凹部を有して、この凹部内に筒状の柄取り付け部２が設けられている。３は柄で、金属パイプ又は木製所定長の円柱体であり、その一端が前記の柄取り付け部内に挿入固定される。θはバケット底面と柄の軸芯とのなす角度であって、市販品では２６度〜２８度の範囲であるが、本発明では３３度を最適値とし、適正許容値は３０度〜３６度とした。  これは実験により求められた値である。
既述のように、従来からの除雪具は雪中に差し入れてバケット内に入った雪ごとこのバケットを柄に力を入れて持ち上げ、除雪を行うものである。また、柄の長さは１３５センチメートルから１３７センチメートルの場合が多く、柄端からバケットの底面までは１４０センチメートルから１４２センチメートル、バケットの先端から柄端までは１６０センチメートルから１６５センチメートルの場合が多い。使用時は、片手で柄の中程を握り、他方の手は柄端近傍を握っている。そのために持ち上げるときのモーメントが大きく、腰に負担のかかる作業となっている。【０００８】  次に、本発明の使用について説明する。
本発明の使用に際しては、一般の除雪具同様に柄を持ち、雪中にバケット先端から浅い角度にて挿入し、バケット内に入った雪を移動させ、はね上げて雪捨て場に雪を捨てる。
特徴的な使い方としては、堆積した雪表面よりやや下にバケットを潜らせて、平地の場合にはバケットの水平を保ちながらこのバケットを雪路面と平行移動させる方法がある。
このまま柄を押してバケットを移動させることにて、バケット巾分の除雪ができる。
バケット内には次第に雪が入ってきてあふれることになるが、このまま押し続けて移動を継続させて除雪する。この作業を反復することにて雪を一定方向に移動させることができる。後は既述のように雪捨て場所にバケットを用いて雪を移動させる。【０００９】  次に、角度変更の効果について説明する。
記述のごとく、市販の除雪具におけるバケット底面と柄の軸芯とのなす角は２６度ほど、本発明では３３度ほどであるが、この違いについて説明する。
市販品の２６度の場合は、バケットに対する柄の角度が浅いために、雪路面平行移動方式の使用には適していない。すなわち、バケットを雪路面と平行にすると、次の式にて柄後端の路面からの高さが求められる。
ａ＝柄後端高さ  Ｌ＝柄端から柄の軸芯の延長線がバケット底面に達するまでの距離
（１４００ｍｍとした）
θ＝バケット底面と柄の軸芯とのなす角度
２６度の場合：ａ＝１４００×ｓｉｎ２６度＝６１４ｍｍ
３３度の場合：ａ＝１４００×ｓｉｎ３３度＝７６３ｍｍ
以上から角度が３３度のときは柄後端位置高さは７６３ｍｍとなり、身長差による差異はあるものの成人男性の腰の高さよりやや低い値となるために、手を柄後端に当てるなどして楽な姿勢にてバケットを平行移動することができる。これに対し角度が２６度の場合には、柄後端位置高さは６１４ｍｍとなって、約１５０ｍｍほど下の位置となり、平行移動するときは肘を伸ばした状態となって押す力が弱くなる。これを避けようとすると腰をかがめなければならず、腰への負担が大きくなる上に、不自然な姿勢を続けなければならず、作業労力が大きくなる。以上のことから、実験にてこの３３度の最適値を見いだしたのである。【００１０】  次に、角度許容範囲について説明する。
最適値を３３度として、適正角度範囲は３０度〜３６度である。これが例えば２９度では、ａの値は約６７８ｍｍとなり、最適値の７６３ｍｍより８５ｍｍほど下の位置に柄後端が位置するために、作業性が悪くなる。３６度以上例えば３７度では，ａの値は約８４２ｍｍとなり、角度が３３度の場合よりやや高めになって、肘をやや大きく曲げて作業しなければならない。また、図４にて説明すると、柄方向に押す力をＦ、この力の水平分力をＦ１として、角度が大きくなるとこのＦ１の値が小さくなって、より大きな力を入れなければならなくなる。以上から、本発明では最適角度を３３度とし、許容角度範囲を３０度〜３６度としたのである。また、バケット内の雪をはね上げる場合において、従来品に比べてより楽に作業を行うことができる。つまり、柄の持ちやすい位置の高さになるまでのバケットからの距離が小さくてすみ、そのために柄の全長を短くすることができるのである。従って、モーメントの原理により、従来品に比べて柄とバケットとの距離が近いので、より少ない力にて雪をはね上げることができる。記述の角度範囲より角度が大きくなると、雪をはね上げるときにバケット先端がより上向きとなるために、作業しにくくなり、この意味でも角度範囲が重要となるのである。【００１１】  以上記したように、従来の除雪具は雪中にバケットを差し入れてそのまま持ち上げ雪をはね上げることを目的とするために、角度が２６度から２８度であるとともに柄が長く、柄を持つ位置が本発明の場合より後方となり、雪を投げるときは雪の重量もあり、中腰姿勢となるため負担が大きく、体力も消耗しやすいものであった。また、柄を短めに持つと膝を曲げて投げることとなり、やはり負担が大きい。
これに対し本発明では上記角度を３０度から３６度とし、３３度を最適角度としたために、柄の持つ位置が腰の高さ近傍となり、腰をあまり曲げずにすみ、雪を投げたり押したりする作業が楽であり、身体への負担が少ないのである。
このように、本発明は人間工学的にも配慮したものである。また、除雪を腰痛予防の面から考えると、除雪姿勢と重量物取り扱い作業の二点がポイントと思われる。除雪時の動的要因として、腰部が強度の負荷を受けること、ひねりおよび前後屈、側屈、捻転の姿勢を取ることが上げられ、環境要因としては厳寒な環境の中に身体を置くことで、筋肉が緊張や収縮などが起こることであって、これらの要因が腰痛の一因とも成り得るのである。本発明は、この要因のうち、動的要因の緩和に役立つ要素を備えており、従来品に比べて身体への負担を軽減して、腰痛予防にも寄与すると思われる。
以上説明したように、本発明の使用にて、除雪効率が向上するとともに、腰部への負担が緩和され、人間工学的にも優れた除雪具を提供することができる。
【符号の説明】
【００１２】１    バケット
２    柄取り付け部
３    柄
Ｌ    柄端から柄の軸芯の延長線がバケット底面に達するまでの距離
θ    バケット底面と柄の軸芯とのなす角度
ａ    路面から柄端までの高さ
Ｆ    柄に加わる押圧力
Ｆ１  柄に加わる押圧力の水平分力
Ｆ２  柄に加わる押圧力の垂直分力
【図１】
2015175230.tif 000003
【図２】
2015175230.tif 000004
【図３】
2015175230.tif 000005
【図４】
2015175230.tif 000006